(57)【要約】【課題】本発明は、便利に使用できるタッチパネルを有する電子装置を提供することを目的とする。【解決手段】本発明に係る電子装置は、ベース及びベースに回転可能に装着されるディスプレイ部を備える。ベースの上面には、キーボード及びキーボードの前側に位置するタッチパネルが設置され、タッチパネルは、三つの領域を備え、タッチパネルは全動作モードと部分動作モードとの間で切り替えられ、全動作モードの場合、全ての領域が動作状態になり、ユーザの操動作作を感知し且つ操動作作応じ、部分動作モードの場合、１つの領域は非動作状態になり、ユーザの操動作作を感知するが応じない。【選択図】図１
2014149824.tif 000002
【特許請求の範囲】
【請求項１】
ベース及び前記ベースに回転可能に装着されるディスプレイ部を備えてなる電子装置であって、
前記ベースの上面には、キーボード及び前記キーボードの前側に位置するタッチパネルが設置され、前記タッチパネルは三つの領域を備え、前記タッチパネルは全動作モードと部分動作モードとの間で切り替えられ、全動作モードの場合、全ての領域が動作状態になり、ユーザの操作動作を感知し且つ該操作動作に応じ、部分動作モードの場合は、１つの領域は、非動作状態になり、ユーザの操作動作を感知するが該操作動作には応じないことを特徴とする電子装置。
【請求項２】
部分動作モードの場合、動作状態中の前記２つの領域の内の１つに対して、カーソル操作及びクリック操作ができることを特徴とする請求項１に記載の電子装置。
【請求項３】
前記２つの領域がユーザの操作動作を同時に感知すると、前記タッチパネルは部分動作モードに切り替えられることを特徴とする請求項１又は２に記載の電子装置。
【請求項４】
前記タッチパネルが部分動作モードに切り替えられた後、動作状態中の前記２つの領域が、ユーザの操作動作を同時に感知しない場合、前記タッチパネルは、全動作モードに切り替えられることを特徴とする請求項３に記載の電子装置。
【請求項５】
ベース及び前記ベースに回転可能に装着されるディスプレイ部を備えてなる電子装置であって、
前記ベースの上面には、キーボード及び前記キーボードの前側に位置するタッチパネルが設置され、前記タッチパネルは２つの領域を備え、２つの前記領域がユーザの操作動作を同時に感知すると、１つの前記領域に対してカーソル操作及びクリック操作ができることを特徴とする電子装置。
【発明の詳細な説明】
【技術分野】
【０００１】
本発明は、タッチパネルを有する電子装置に関するものである。
【背景技術】
【０００２】
従来の技術において、ノートパソコンのベース上にはタッチパネルが設置される。しかし、ユーザの両手が不意にタッチパネルにタッチするのを防ぐために、従来のタッチパネルは、キーボードの前側の中央領域に設置されている。しかし、その面積は小さく、操作には不便である。
【発明の概要】
【発明が解決しようとする課題】
【０００３】
本発明の目的は、前記問題を解決し、便利に使用できるタッチパネルを有する電子装置を提供することである。
【課題を解決するための手段】
【０００４】
上記目的を達成するために、本発明に係る電子装置は、ベース及び該ベースに回転可能に装着されるディスプレイ部を備え、前記ベースの上面には、キーボード及び前記キーボードの前側に位置するタッチパネルが設置され、タッチパネルは、三つの領域を備え、タッチパネルは全動作モードと部分動作モードとの間で切り替えられ、全動作モードの場合、全ての領域が動作状態になり、ユーザの操作動作を感知し且つ該操作動作に応じ、部分動作モードの場合、１つの領域が、非動作状態になり、ユーザの操作動作を感知するが前記操作動作には応じない。
【発明の効果】
【０００５】
本発明に係る電子装置は、タッチパネルが全動作モード又は部分動作モードに切り替えられ、部分動作モードの場合、少なくとも１つの領域が非動作状態になるため、ユーザの手が接触しても応じないため、タッチパネルの長さをキーボード又はベースの長さと同じにすることで、便利に使用することができる。
【図面の簡単な説明】
【０００６】
【図１】本発明の実施形態に係る電子装置の斜視図である。
【図２】図１に示す電子装置のベースの上面図である。
【図３】図１に示す電子装置のタッチパネルが全動作モードにおいて使用されている状態を示す図である。
【図４】図１に示す電子装置のタッチパネルが部分動作モードに切り替えられる状態を示す図である。
【発明を実施するための形態】
【０００７】
図１及び図２に示したように、本発明の実施形態に係る電子装置１０は、ノートパソコンなどの電子設備である。
【０００８】
電子装置１０は、ベース３０及びベース３０に回転可能に装着されるディスプレイ部２０を備える。
【０００９】
ベース３０の上面３２には、キーボード３４及びキーボード３４の前側に位置するタッチパネル３６が装着されている。
【００１０】
タッチパネル３６の長さは１８ｃｍより長いか又は等しい。図１に示したように、タッチパネル３６の長さはキーボード３４の長さとほぼ同じである。他の実施形態において、タッチパネル３６の長さはベース３０の長さと同じであっても良い。
【００１１】
タッチパネル３６には、中央領域３６２と、中央領域３６２の左に位置する左領域３６４と、中央領域３６２の右に位置する右領域３６６と、を備える。中央領域３６２と左領域３６４との間及び中央領域３６２と右領域３６６との間には、分割線は設けない。
【００１２】
図３及び図４に示したように、タッチパネル３６は、全動作モード又は部分動作モード下で動作する。
【００１３】
タッチパネル３６が全動作モードである場合、中央領域３６２、左領域３６４及び右領域３６６は共に動作状態になる。即ち、全ての領域はユーザの操作動作を感知し且つ操作動作に応じる。具体的には、ある領域が、ユーザの操作動作を感知すると、その操作動作に対応する指令を電子装置１０内の操作システム及びプログラムに送信し、操作システム及びプログラムを指令する又は操作を実行させる。
【００１４】
タッチパネル３６が部分動作モードである場合、中央領域３６２、左領域３６４及び右領域３６６はユーザの操作動作を感知できるが、少なくとも１つの領域は非動作状態でありうる。即ち、少なくとも１つの領域はユーザの操作動作に応じない。具体的には、少なくとも１つの領域は、ユーザの操作動作を感知するが、その操作動作に対応する指令を電子装置１０内の操作システム及びプログラムに送信しない。
【００１５】
電子装置１０が起動した時は、タッチパネル３６は全動作モードである。
【００１６】
中央領域３６２、左領域３６４及び右領域３６６の内、何れか２つの領域が、ユーザの操作動作を同時に感知すると、タッチパネル３６は部分動作モードに切り替わる。この時、２つの領域は動作状態になり、もう１つの領域は非動作状態になる。動作状態中の２つの領域の内、１つの領域に対してカーソル操作及びクリック操作ができ、もう１つの領域に対して他の操作ができる。２つの領域が、ユーザの操作動作を同時に感知しなくなると、タッチパネル３６は、部分動作モードから全動作モードに切り替わる。
【００１７】
図４に示したように、中央領域３６２及び左領域３６４が、ユーザの操作動作を同時に感知した場合、タッチパネル３６は部分動作モードに切り替わる。この時、中央領域３６２及び左領域３６４は動作状態になり、右領域３６６は非動作状態になり、中央領域３６２は、カーソル操作及びクリック操作ができる領域であると確定される。中央領域３６２及び左領域３６４が、ユーザの操作動作を同時に感知しなくなると、タッチパネル３６は、部分動作モードから全動作モードに切り替わる。この時、全ての領域は、動作状態になる。
【符号の説明】
【００１８】
１０  電子装置
２０  ディスプレイ部
３０  ベース
３２  上面
３４  キーボード
３６  タッチパネル
３６２  中央領域
３６４  左領域
３６６  右領域
【図１】
2014149824.tif 000003
【図２】
2014149824.tif 000004
【図３】
2014149824.tif 000005
【図４】
2014149824.tif 000006